(57)【要約】【課題】製造ラインに含まれる複数の機器の配置構成を示す画像上において各機器の履歴データを確認できるようにし、より使い勝手の優れた製造ライン管理支援装置、方法及びプログラムを提供する。【解決手段】指定の行われた特定の種別データに該当する各機器についての履歴データを記憶部から抽出し、製造ラインに含まれる複数の機器の配置構成を示す画像上において各機器の履歴データを重ねて表示する。また、機器の種別毎に、日付順に履歴データを表示したカレンダー画像の表示も可能とする。【選択図】図１
2011070562.tif 000002
【特許請求の範囲】
【請求項１】
製造ラインに含まれる複数の機器の配置構成を示す画像を生成するための図形データと、各機器の種別データと、各機器についての処置の履歴データとを記憶した記憶部と、
種別データの指定を受付ける指定受付け手段と、
前記指定の行われた種別データに該当する各機器について、前記記憶部から履歴データを抽出する指定種別履歴データ抽出手段と、
前記記憶部から前記図形データを読出すとともに、前記図形データに基づいて生成される画像における、前記指定の行われた種別データに該当する各機器の表示位置に対応させて、前記指定種別履歴データ抽出手段によって抽出した履歴データを重ねて表示した画像データを生成するマップ生成手段と、
を具備する製造ライン管理支援装置。
【請求項２】
前記記憶部は、前記履歴データとして、各機器についての処置の日付及び内容を記憶しており、
前記指定受付け手段は、前記マップ生成手段によって生成された画像における表示位置に対応した機器の指定を更に受付け、
前記製造ライン管理支援装置は、
前記指定の行われた機器についての履歴データから最新の処置の日付を抽出し、当該日付を含む所定期間内の日付を有する他の機器についての履歴データを前記記憶部から抽出する所定期間履歴データ抽出手段と、
前記所定期間履歴データ抽出手段によって抽出した履歴データを、機器の種別毎に、日付順に表示した画像データを生成するカレンダー生成手段と、
を更に具備する請求項１記載の製造ライン管理支援装置。
【請求項３】
前記指定受付け手段は、前記各機器についての処置の履歴データを機器の種別毎に日付順に表示した画像における表示位置の指定を受付け、
前記指定種別履歴データ抽出手段は、前記指定の行われた表示位置に該当する機器と同一の種別に属する各機器について、前記記憶部から履歴データを抽出し、
前記マップ生成手段は、前記記憶部から前記図形データを読出すとともに、前記図形データに基づいて生成される画像における、前記指定の行われた表示位置に該当する機器と同一の種別に属する各機器の表示位置に対応させて、前記指定種別履歴データ抽出手段によって抽出した履歴データを重ねて表示した画像データを生成する、
請求項１又は２記載の製造ライン管理支援装置。
【請求項４】
製造ラインに含まれる複数の機器の配置構成を示す画像を生成するための図形データと、各機器の種別データと、各機器についての処置の履歴データとを記憶した記憶部を参照可能なコンピュータに、以下の各ステップを実行させることによる製造ライン管理支援方法であって、
種別データの指定を受付ける指定受付けステップと、
前記指定の行われた種別データに該当する各機器について、前記記憶部から履歴データを抽出する指定種別履歴データ抽出ステップと、
前記記憶部から前記図形データを読出すとともに、前記図形データに基づいて生成される画像における、前記指定の行われた種別データに該当する各機器の表示位置に対応させて、前記指定種別履歴データ抽出ステップによって抽出した履歴データを重ねて表示した画像データを生成するマップ生成ステップと、
を具備する製造ライン管理支援方法。
【請求項５】
製造ラインに含まれる複数の機器の配置構成を示す画像を生成するための図形データと、各機器の種別データと、各機器についての処置の履歴データとを記憶した記憶部を参照可能なコンピュータに、以下の各ステップを実行させる製造ライン管理支援プログラムであって、
種別データの指定を受付ける指定受付けステップと、
前記指定の行われた種別データに該当する各機器について、前記記憶部から履歴データを抽出する指定種別履歴データ抽出ステップと、
前記記憶部から前記図形データを読出すとともに、前記図形データに基づいて生成される画像における、前記指定の行われた種別データに該当する各機器の表示位置に対応させて、前記指定種別履歴データ抽出ステップによって抽出した履歴データを重ねて表示した画像データを生成するマップ生成ステップと、
を実行させる製造ライン管理支援プログラム。
【発明の詳細な説明】
【技術分野】
【０００１】
本発明は、工場における製造ラインの管理を支援する製造ライン管理支援装置に関し、更に、製造ライン管理支援方法及び製造ライン管理支援プログラムに関する。
【背景技術】
【０００２】
工場における製造ラインは、複数の機器が配管で接続され、複数の複雑な系統を有している。従来このような製造ラインの各機器は、表計算ソフトなどによってテーブルデータとして管理されていたが、そのようなテーブルデータによる管理では、各機器が実際の製造ラインにおけるどの機器に該当するのか分かりにくかった。
【０００３】
下記の特許文献１においては、プラントの系統図に各機器の識別番号を属性付けておき、系統図において機器が選択されると当該機器の検査・保守履歴データを表示する、プラントデータ管理システムが開示されている。
【０００４】
しかしながら、特許文献１においては、選択された機器の検査・保守履歴データを表示するときには系統図が消えてしまい、各機器の情報を系統図上で確認することはできない。
【先行技術文献】
【特許文献】
【０００５】
【特許文献１】特開２００４−３５５３８０号公報
【発明の概要】
【発明が解決しようとする課題】
【０００６】
そこで本発明は、製造ラインに含まれる複数の機器の配置構成を示す画像上において各機器の履歴データを確認できるようにし、より使い勝手の優れた製造ライン管理支援装置、方法及びプログラムを提供することを目的とする。
【課題を解決するための手段】
【０００７】
上記課題を解決するため、本発明の１つの観点に係る製造ライン管理支援装置は、製造ラインに含まれる複数の機器の配置構成を示す画像を生成するための図形データと、各機器の種別データと、各機器についての処置の履歴データとを記憶した記憶部と、種別データの指定を受付ける指定受付け手段と、上記指定の行われた種別データに該当する各機器について、記憶部から履歴データを抽出する指定種別履歴データ抽出手段と、記憶部から図形データを読出すとともに、当該図形データに基づいて生成される画像における、上記指定の行われた種別データに該当する各機器の表示位置に対応させて、指定種別履歴データ抽出手段によって抽出した履歴データを重ねて表示した画像データを生成するマップ生成手段と、を具備する。
【発明の効果】
【０００８】
本発明によれば、指定の行われた特定の種別データに該当する各機器についての履歴データを記憶部から抽出し、製造ラインに含まれる複数の機器の配置構成を示す画像上において各機器の履歴データを重ねて表示することによって、より使い勝手の優れた製造ライン管理支援装置、方法及びプログラムを提供することができる。
【図面の簡単な説明】
【０００９】
【図１】本発明の１つの実施形態に係る製造ライン管理支援装置とこれに接続される諸機器の概略構成図である。
【図２】記憶部のうち図形データ等を格納した領域のデータ構成を示す図である。
【図３】記憶部のうち処置の履歴データを格納した領域のデータ構成を示す図である。
【図４】記憶部のうち洗浄の履歴データを格納した領域のデータ構成を示す図である。
【図５】記憶部のうちトラブルの履歴データを格納した領域のデータ構成を示す図である。
【図６】記憶部の図形データ等に基づいて生成される画像の例を示す図である。
【図７】マップ生成部によって生成される種別毎のマップ画像の例を示す図である。
【図８】マップ生成部によって生成される洗浄履歴の画像の例を示す図である。
【図９】マップ生成部によって生成されるトラブル履歴の画像の例を示す図である。
【図１０】カレンダー生成部によって生成されるカレンダー画像の例を示す図である。
【図１１】上記実施形態に係る製造ライン管理支援装置の動作例を示すフローチャートである。
【発明を実施するための形態】
【００１０】
以下、本発明の実施形態に係る製造ライン管理支援装置、方法及びプログラムについて、図面を参照しながら詳しく説明する。
【００１１】
＜１．装置の構成＞
図１は、本発明の１つの実施形態に係る製造ライン管理支援装置とこれに接続される諸機器の概略構成図である。製造ライン管理支援装置１は、キーボードやマウス等の入力部２と、液晶ディスプレイ等の表示部３とに接続されたコンピュータ装置である。製造ライン管理支援装置１は、図示しないネットワークを介して他のコンピュータ装置に接続されていても良く、当該他のコンピュータ装置に接続された入力部及び表示部との間で入出力情報のやり取りをしても良い。
【００１２】
製造ライン管理支援装置１は、記憶部１０、指定受付け部１１、指定種別履歴データ抽出部１２、マップ生成部１３、所定期間履歴データ抽出部１４、カレンダー生成部１５を有している。
【００１３】
＜１−１．記憶部１０＞
記憶部１０は、製造ライン管理支援装置１において管理される製造ラインの各機器に関して、必要な情報を記憶している。
図２〜図５に、記憶部の具体的なデータ構成を示している。記憶部１０は、機器の配置構成を示す画像を生成するための図形データ等を格納した領域１０Ａ（図２）と、各機器についての処置の履歴データを格納した領域１０Ｂ（図３）と、洗浄の履歴データを格納した領域１０Ｃ（図４）と、トラブルの履歴データを格納した領域１０Ｄ（図５）とを含んでいる。
【００１４】
図２に示す領域１０Ａに記憶された図形データ１００は、製造ラインに含まれる機器毎に、例えば、３次元座標系において１つの多面体を形成するポリゴンデータ群として、また例えば、２次元座標系において１つの閉じた曲線を形成する曲線データ群として、記述されている。このような３次元座標系におけるポリゴンデータ群をモデリングして表示するモードと、２次元座標系における曲線データ群を表示するモードとを、ユーザが選択できるようにする場合には、そのようなポリゴンデータ群と曲線データ群の両方を領域１０Ａに記憶する。
機器ＩＤ１０１は、製造ラインに含まれる各機器に付与されたＩＤであり、図形データ１００の属性データとして記憶されている。
種別データ１０２は、製造ラインに含まれる複数の機器を幾つかの種別に分けた場合に各種別を識別するＩＤであり、図形データ１００の属性データとして記憶されている。
【００１５】
図３に示す領域１０Ｂに記憶された機器ＩＤ１０１は、領域１０Ａに記憶された機器ＩＤ１０１に対応する情報であり、領域１０Ａと領域１０Ｂとの橋渡し役となる。
履歴データ１０３は、各機器について施された処置の履歴を記録したデータである。この履歴データ１０３には、各処置の日付１０４、設置、交換等の処置の内容１０５、その他（品番、単価、仕入先、担当者、認証者等）のデータが含まれている。
【００１６】
図４に示す領域１０Ｃに記憶された機器ＩＤ１０１は、領域１０Ａ及び１０Ｂに記憶された機器ＩＤ１０１に対応する情報であり、洗浄された機器（配管等）を特定するデータである。
日付１０４は、機器の洗浄を行った日付のデータである。領域１０Ｃには、その他、洗浄業者、担当者等のデータが記録される。
【００１７】
図５に示す領域１０Ｄに記憶された機器ＩＤ１０１は、領域１０Ａ、１０Ｂ及び１０Ｃに記憶された機器ＩＤ１０１に対応する情報であり、トラブルが発生した機器を特定するデータである。
日付１０６は、トラブルが発生した日付のデータであり、現象１０７は、トラブルの具体的現象を簡潔に記述したデータである。領域１０Ｄには、その他、トラブルの原因、対策、担当者等のデータが記録される。
【００１８】
なお、ここでは、種別データ１０２は図形データ１００の属性データとして領域１０Ａに記憶する例について説明したが、領域１０Ｂに機器ＩＤ１０１と対応させて記憶することとしても良い。また、ここでは、履歴データ１０３は領域１０Ｂに記憶する例について説明したが、図形データ１００の属性データとして領域１０Ａに記憶することとしても良い。
【００１９】
図６に、記憶部の図形データ等に基づいて生成される画像の例を示す。この画像には、表示メニュー３０１の表示領域と、３Ｄイメージ３０２の表示領域とが含まれている。
表示メニュー３０１は、「パッキン」、「フィルター」、「配管」、「バルブ」、「ポンプ」、「モーター」として示される種別データ１０２に対応した項目と、「カレンダー」、「洗浄」、「トラブル」、「３Ｄカルテ」として示されるその他の項目とを含んでいる。
３Ｄイメージ３０２は、図形データ１００がポリゴンデータ群として記述されている場合に、３次元座標系におけるポリゴンデータ群をモデリングして生成される画像である。この３Ｄイメージ３０２は、入力部２を介した操作により、ズーム、回転等を行うことができる。
なお、この画像に示される製造ラインは、主に配管で材料を運搬し、液状又は半固形状の製品を製造する設備である。図６は説明のために製造ラインの図示を大幅に簡略化しているが、製造ラインの全体を表示することで、製造ラインの概要を容易に把握できることが望ましい。また、後述の図７〜図１０の画像における表示メニュー３０１において「３Ｄカルテ」が選択された場合には、改めて図６に示す画像が生成される。
【００２０】
＜１−２．指定受付け部１１＞
図１に戻って製造ライン管理支援装置１の説明を続ける。
指定受付け部１１は、入力部２によって入力された種別データの指定を受付ける。例えば、図６等の表示メニュー３０１において、種別データ１０２に対応する「パッキン」、「フィルター」等の項目が選択されたことを、入力部２からの信号に基づいて判定する。より具体的には、入力部２がマウスである場合には、マウスをクリックした時点の画面上におけるマウスポインタの位置に基づいて、表示メニュー３０１におけるどの項目が選択されたかを判定する。
【００２１】
また、指定受付け部１１は、マップ生成部１３によって生成される種別毎のマップ画像（図７：後述）における表示位置に対応した機器の指定を受付ける。例えば、入力部２がマウスである場合には、マウスをクリックした時点の画面上におけるマウスポインタの位置に基づいて、画像に表示されたどの機器が選択されたかを判定する。
【００２２】
また、指定受付け部１１は、カレンダー生成部１５によって生成されるカレンダー画像（図１０：後述）における表示位置の指定を受付ける。例えば、入力部２がマウスである場合には、マウスをクリックした時点の画面上におけるマウスポインタの位置に基づいて、画像に表示されたどの履歴データが選択されたかを判定する。
【００２３】
＜１−３．指定種別履歴データ抽出部１２＞
指定種別履歴データ抽出部１２は、指定受付け部１１によって指定を受付けた種別データ１０２に該当する各機器について、記憶部１０から履歴データ１０３を抽出する。履歴データ１０３は、記憶部１０に記憶された当該機器に関する過去の処置の履歴をすべて抽出しても良いが、ここでは例えば各機器について最新の履歴のみを抽出する。
【００２４】
＜１−４．マップ生成部１３＞
マップ生成部１３は、記憶部１０から図形データ１００を読出す。そして、図形データ１００に基づいて生成される画像における各機器の表示位置に対応させて、指定種別履歴データ抽出部１２によって抽出した履歴データ１０３を重ねて表示した画像データを生成する。
【００２５】
図７に、マップ生成部によって生成される種別毎のマップ画像の例を示す。この画像には、表示メニュー３０１の表示領域と、マップ３０３の表示領域とが含まれている。
マップ３０３は、図形データ１００が曲線データ群として記述されている場合に、この曲線データ群を用いて生成される画像である。マップ生成部１３は、指定種別履歴データ抽出部１２によって抽出した履歴データ１０３に対応する機器ＩＤ１０１に基づいて、当該機器ＩＤ１０１に対応する図形データ１００を特定する。そして、この特定された図形データ１００の表示位置の近傍に履歴データ１０３が表示されるよう、マップ３０３の画像データを生成する。
また、マップ生成部１３は、画像データを生成するにあたって、特定された図形データ１００（図７においては「パッキン１」〜「パッキン４」の図形データ）を強調表示するようにしても良い。
【００２６】
なお、マップ生成部１３は、記憶部１０の領域１０Ｃに記憶された洗浄の履歴データに基づいて、図８に示す洗浄履歴の画像データを生成することもできる。すなわち、図６等の表示メニュー３０１において「洗浄」が選択された場合、領域１０Ｃに記憶された洗浄の履歴データから直近の一定期間内のレコードを日付１０４に基づいて抽出し、当該レコードの機器ＩＤ１０１のデータに基づいて各レコードに対応する図形データ１００を特定する。そして、この特定された図形データ１００の表示位置の近傍に、日付１０４等のデータが表示されるよう、洗浄履歴の画像３０４を生成する。
【００２７】
また、マップ生成部１３は、記憶部１０の領域１０Ｄに記憶されたトラブルの履歴データに基づいて、図９に示すトラブル履歴の画像データを生成することもできる。すなわち、図６等の表示メニュー３０１において「トラブル」が選択された場合、領域１０Ｄに記憶されたトラブルの履歴データから直近の一定期間内のレコードを日付１０６に基づいて抽出し、当該レコードの機器ＩＤ１０１のデータに基づいて各レコードに対応する図形データ１００を特定する。そして、この特定された図形データ１００の表示位置の近傍に、現象１０７等のデータが表示されるよう、トラブル履歴の画像３０５を生成する。
【００２８】
＜１−５．所定期間履歴データ抽出部１４＞
所定期間履歴データ抽出部１４は、マップ生成部１３によって生成された図７のマップ画像に表示された機器のうち、指定受付け部１１によって指定を受付けた機器について、記憶部１０の履歴データ１０３から最新の処置の日付１０４を抽出する。そして、抽出された当該日付を含む所定期間内の日付を有する他の機器についての履歴データ１０３を記憶部１０から抽出する。例えば、図７のマップ画像に表示された機器のうち「パッキン１」が指定された場合には、パッキン１についての最新の処置の日付「20090903」を抽出し、この日付を含む所定期間内（例えば、１か月、１年等）の日付を有する他の機器についての履歴データ１０３を抽出する。なお、履歴データ１０３が処置の日付だけでなく日時までのデータを含んでいる場合に、所定期間分として１日分の履歴データを抽出することとしても良い。
【００２９】
＜１−６．カレンダー生成部１５＞
カレンダー生成部１５は、所定期間履歴データ抽出部１４によって抽出した履歴データ１０３を、機器の種別毎に、日付順に表示した画像データを生成する。
図１０に、カレンダー生成部によって生成されるカレンダー画像の例を示す。この画像には、表示メニュー３０１の表示領域と、カレンダー３０６の表示領域とが含まれている。
【００３０】
カレンダー３０６は、所定期間履歴データ抽出部１４によって抽出された所定期間内の日付を有する履歴データ１０３を、機器の種別毎に、日付順に表示した画像である。カレンダー生成部１５は、例えば、表の各列に「パッキン」、「フィルター」等の機器の種別を割り当てるとともに、各行に日、週、月等の時間単位を割り当て、履歴データ１０３に含まれる内容１０５のデータを該当するセルに記録したデータテーブルを生成する。そして、生成されたデータテーブルに該当項目名を表示した画像データを生成する。例えば、「パッキン１」についての最新の履歴の内容「交換」は、図１０に示す画像における種別「パッキン」の列の日付「３」（2009年9月3日）の行に該当するセルに表示する。
また、カレンダー３０６は、記憶部１０の領域１０Ｄに記憶されたトラブルの履歴データに基づいて、トラブルの履歴を表示しても良い。すなわち、領域１０Ｄに記憶されたトラブルの履歴データから上記所定期間内（例えば、１か月、１年等）のレコードを日付１０６に基づいて抽出し、当該レコードの現象１０７等のデータを、該当するセルに表示する。
【００３１】
なお、カレンダー生成部１５は、図６等の表示メニュー３０１において「カレンダー」が選択された場合にも、カレンダー３０６の画像データを生成することができる。この場合は、指定受付け部１１を介した機器の指定はないので、例えば現在日を含む所定期間内の履歴データ１０３を用いて、カレンダー３０６の画像データを生成する。
【００３２】
＜２．動作＞
＜２−１．第１の動作例（マップ画像の生成）＞
図１１（Ａ）は、上記実施形態に係る製造ライン管理支援装置の第１の動作例を示すフローチャートである。製造ライン管理支援装置１は、上述の指定受付け部１１、指定種別履歴データ抽出部１２、マップ生成部１３の各機能を実現するプログラムの各モジュールをコンピュータ読み取り可能な記憶媒体から読み出して実行することにより、以下の各ステップの処理を行い、図７に示すようなマップ画像を生成する。
【００３３】
まず、指定受付け部１１は、図６の表示メニュー３０１等において、入力部２から製造ライン管理支援装置１に対して入力される種別データの指定を受付ける（Ｓ１１１）。
【００３４】
次に、指定種別履歴データ抽出部１２は、指定の行われた種別データに該当する各機器について、記憶部１０から履歴データ１０３を抽出する（Ｓ１１２）。
【００３５】
次に、マップ生成部１３は、記憶部１０から図形データを読出すとともに、図形データに基づいて生成される画像における、前記指定の行われた種別データに該当する各機器の表示位置に対応させて、指定種別履歴データ抽出部１２によって抽出した履歴データ１０３を重ねて表示した画像データを生成する（Ｓ１１３）。
【００３６】
第１の動作例によれば、指定した種別データに該当する各機器の履歴情報が、製造ラインに含まれる複数の機器の配置構成を示す画像と重ねて表示されるので、各機器の履歴情報と、各機器の製造ラインでの所在を容易に把握することができる。
【００３７】
＜２−２．第２の動作例（カレンダー画像の生成）＞
図１１（Ｂ）は、上記実施形態に係る製造ライン管理支援装置の第２の動作例を示すフローチャートである。製造ライン管理支援装置１は、上述のマップ生成部１３によって図７に示すマップ画像が生成された後に、上述の指定受付け部１１、所定期間履歴データ抽出部１４、カレンダー生成部１５の各機能を実現するプログラムの各モジュールをコンピュータ読み取り可能な記憶媒体から読み出して実行することにより、以下の各ステップの処理を行い、図１０に示すようなカレンダー画像を生成する。
【００３８】
まず、指定受付け部１１は、マップ生成部１３によって図７に示すマップ画像が生成された後に、当該画像における表示位置に対応した機器の指定を受付ける（Ｓ２１１）。
【００３９】
次に、所定期間履歴データ抽出部１４は、指定の行われた機器についての履歴データから最新の処置の日付を抽出し、当該日付を含む所定期間内の日付を有する他の機器についての履歴データ１０３を記憶部１０から抽出する（Ｓ２１４）。
【００４０】
次に、カレンダー生成部１５は、所定期間履歴データ抽出部１４によって抽出した履歴データを、機器の種別毎に、日付順に表示した画像データを生成する（Ｓ２１５）。
また、カレンダー生成部１５は、画像データを生成するにあたって、図７のマップ画像に表示された機器のうち、指定受付け部１１によって指定を受付けた機器についての履歴データ１０３を強調表示するようにしても良い（図１０参照）。
【００４１】
第２の動作例によれば、製造ラインに含まれる複数の機器の配置構成を示す画像において指定した機器に関する最新の履歴と日付の近い他の機器の履歴を一覧して表示することができるので、指定した機器に関する履歴と他の機器に関する履歴との関係を容易に把握することができる。また、図１０に示すカレンダー３０６の画像にトラブル履歴を含ませることによって、機器に関する履歴とトラブル履歴との関係を容易に把握することができる。
【００４２】
＜２−３．第３の動作例（マップ画像の生成）＞
図１１（Ｃ）は、上記実施形態に係る製造ライン管理支援装置の第３の動作例を示すフローチャートである。製造ライン管理支援装置１は、上述のカレンダー生成部１５によって図１０に示すカレンダー画像が生成された後に、上述の指定受付け部１１、指定種別履歴データ抽出部１２、マップ生成部１３の各機能を実現するプログラムの各モジュールをコンピュータ読み取り可能な記憶媒体から読み出して実行することにより、以下の各ステップの処理を行い、図７に示すようなマップ画像を生成する。
【００４３】
まず、指定受付け部１１は、カレンダー生成部１５によって図１０に示すカレンダー画像が生成された後に、当該画像における表示位置の指定を受付ける（Ｓ３１１）。
【００４４】
次に、指定種別履歴データ抽出部１２は、指定の行われた表示位置に該当する機器と同一の種別に属する各機器について、記憶部１０から履歴データ１０３を抽出する（Ｓ３１２）。
【００４５】
次に、マップ生成部１３は、記憶部１０から図形データを読出すとともに、図形データに基づいて生成される画像における、前記指定の行われた表示位置に該当する機器と同一の種別に属する各機器の表示位置に対応させて、指定種別履歴データ抽出部１２によって抽出した履歴データ１０３を重ねて表示した画像データを生成する（Ｓ３１３）。
また、マップ生成部１３は、画像データを生成するにあたって、図１０のカレンダー画像のうち、指定受付け部１１によって指定を受付けた表示位置に該当する履歴を有する機器の図形データを強調表示するようにしても良い（図７のパッキン１参照）。
【００４６】
第３の動作例によれば、カレンダー画像において指定した種別データに該当する各機器の履歴情報が、製造ラインに含まれる複数の機器の配置構成を示す画像と重ねて表示されるので、各機器の履歴情報と、各機器の製造ラインでの所在を容易に把握することができる。
【００４７】
以上述べたように、本発明の実施形態によれば、製造ラインの全体を一見して把握することができ、この製造ラインに含まれる各機器の履歴を容易に参照できるので、工場設備の信頼性管理を確実に行うことができる。また、各機器の履歴を残してカレンダー３０６のような形式で一覧表示することにより、特に食品製造業において、特定の日付に製造された商品がどのような設備で製造されたのか、トラブルの対処前か対処後か、洗浄前か洗浄後か、等の確認を確実に行うことができるので、食品製造過程のトレーサビリティを向上させることができる。
【符号の説明】
【００４８】
１…製造ライン管理支援装置、２…入力部、３…表示部、１０…記憶部、１１…指定受付け部、１２…指定種別履歴データ抽出部、１３…マップ生成部、１４…所定期間履歴データ抽出部、１５…カレンダー生成部、１０１…機器ＩＤ、１０２…種別データ、１０３…履歴データ、１０４…日付、１０５…内容、１０６…日付、１０７…現象、３０１…表示メニュー、３０２…３Ｄイメージ、３０３…マップ、３０４…洗浄履歴の画像、３０５…トラブル履歴の画像、３０６…カレンダー
【図１】
2011070562.tif 000003
【図２】
2011070562.tif 000004
【図３】
2011070562.tif 000005
【図４】
2011070562.tif 000006
【図５】
2011070562.tif 000007
【図６】
2011070562.tif 000008
【図７】
2011070562.tif 000009
【図８】
2011070562.tif 000010
【図９】
2011070562.tif 000011
【図１０】
2011070562.tif 000012
【図１１】
2011070562.tif 000013